(57)【要約】【課題】冬期の屋内暖房時に屋内側が冷やされるのを効果的に防止することができる、構造用合板を用いた外断熱建物における壁の構造を提供する。【解決手段】構造用合板１と内装ボード４との間を上下方向に延びる空間部７に、該空間部７を天井面８の高さ位置と床面９の高さ位置との間で上下方向に複数の室１１…に仕切る仕切り１０が設置されている。仕切り１０は例えば発泡ポリスチレンなどの発泡樹脂製断熱材からなっているとなおよい。【選択図】      図１
2004300839.tif 000002
【特許請求の範囲】
【請求項１】
構造用合板の屋内側に縦枠材が備えられると共に、該縦枠材の屋内側に内装ボードが備えられ、かつ、前記構造用合板の屋外側に外断熱用の断熱材が備えられた外断熱建物における壁の構造において、
構造用合板と内装ボードとの間を上下方向に延びる空間部に、該空間部を天井面高さ位置と床面高さ位置との間で上下方向に複数の室に仕切る仕切りが設置されていることを特徴とする、構造用合板を用いた外断熱建物における壁の構造。
【請求項２】
前記仕切りが断熱材からなる請求項１に記載の外断熱建物における壁の構造。
【請求項３】
前記仕切りを構成する断熱材が発泡樹脂製の断熱材からなる請求項２に記載の外断熱建物における壁の構造。
【発明の詳細な説明】
【０００１】
【発明の属する技術分野】
本発明は、構造用合板を用いた外断熱建物における壁の構造に関する。
【０００２】
【従来の技術】
ツーバイフォー工法による建物などのように壁部に構造用合板を用いる建物では、従来より、構造用合板の屋内側に縦枠材が備えられると共に、該縦枠材の屋内側に内装ボードが備えられ、かつ、構造用合板と内装ボードとの間の縦枠材間の上下方向に延びる空間部に断熱材が備えられている。
【０００３】
ところで、上記のような構造用合板を用いる建物においても、建物の断熱性能を高いものにするために、図４（イ）（ロ）に示すように、断熱材５１を構造用合板５２の屋外側に備えさせることで、外断熱構造の建物にすることが行われつつある。
【０００４】
【発明が解決しようとする課題】
しかるに、断熱材５１を構造用合板５２の屋外側に備えさせると、断熱性能が向上し、その効果を実感することができるはずのところ、冬期の屋内暖房時において必ずしもそうはならないことを指摘されることがあった。そこで、本発明者らは、その原因を究明すべく詳しい調査研究を行ったところ、次のような事実を突き止めた。
【０００５】
構造用合板を採用する建物において、断熱材５１を構造用合板５２の屋外側に備えさせると、構造用合板５２と内装ボード５３との間に縦枠材５４…で仕切られた上下方向に長い空間部５５がそのまま残されてしまう。この空間部５５は、床面５６の高さ位置から天井面５７の高さ位置まで連続している。
【０００６】
そのため、冬期の屋内暖房時には、この空間部５５内において、構造用合板５２の屋内側の面部と内装ボード５３の屋外側の面部との間に温度差を生じ、この温度差で、温度の低い構造用合板５２側の空気は下降し、温度の高い内装ボード５３側の空気は上昇し、それによって、図４（イ）に矢印で示すような空気の大きな対流を生じ、それが原因で、内装ボード５３の屋内側の面が冷やされ、外断熱建物であるにもかかわらず、壁体の熱ロスが大きく、屋内が冷やされてしまうことがあるのであった。
【０００７】
本発明は、上記のような解明に基づいてなされたものであって、冬期の屋内暖房時に屋内側が冷やされるのを効果的に防止することができる、構造用合板を用いた外断熱建物における壁の構造を提供することを課題とする。
【０００８】
【課題を解決するための手段】
上記の課題は、構造用合板の屋内側に縦枠材が備えられると共に、該縦枠材の屋内側に内装ボードが備えられ、かつ、前記構造用合板の屋外側に外断熱用の断熱材が備えられた外断熱建物における壁の構造において、
構造用合板と内装ボードとの間を上下方向に延びる空間部に、該空間部を天井面高さ位置と床面高さ位置との間で上下方向に複数の室に仕切る仕切りが設置されていることを特徴とする、構造用合板を用いた外断熱建物における壁の構造によって解決される。
【０００９】
この構造では、構造用合板と内装ボードとの間を上下方向に延びる空間部に、該空間部を天井面高さ位置と床面高さ位置との間で上下方向に複数の室に仕切る仕切りが設置されているので、冬期の屋内暖房時には、空間部内において、上記のような対流は生じるものの、空気の上昇下降の距離が短くなり、そのため、対流の勢いが抑えられて、内装ボードの屋内側の面が冷やされるのが抑制され、冬期の屋内暖房時に屋内側が冷やされるのを効果的に防止することができる。仕切りで仕切られた空間が小さくなるほどその効果は大きくなる。
【００１０】
上記の壁構造において、仕切りが断熱材からなる場合は、仕切りによって仕切られた隣り合う上下の室間で空気の行き来が遮られるのみならず、熱の行き来も遮られ、屋内側が冷やされるのをより一層効果的に防止することができる。
【００１１】
また、仕切りを構成する断熱材が発泡樹脂製の断熱材からなる場合は、その軽量さによって施工を容易に行うことができるし、空間部への取付けも簡素な構造、手段によって行うことができ、多数の仕切りを能率良く設置していくことができる。
【００１２】
【発明の実施の形態】
次に、本発明の実施形態を図面に基づいて説明する。
【００１３】
図１及び図２に示す第１実施形態の壁の構造において、１は構造用合板、２は木製の縦枠材、３は外断熱用の断熱材、４は内装ボードであり、構造用合板１の屋内側に縦枠材２…が備えられ、縦枠材２…の屋内側に内装ボード４が備えられ、構造用合板１の屋外側に外断熱用断熱材３が備えられている。外断熱用の断熱材３は、発泡ポリスチレンなどの発泡樹脂製の断熱材などからなっている。なお、５は外装面材であり、外装面材５と外断熱材３との間には通気層６が設けられている。
【００１４】
そして、構造用合板１と内装ボード４との間を縦枠材２…に仕切られて上下方向に延びる空間部７…に、図１（イ）及び図２に示すように、該空間部７…を天井面８の高さ位置と床面９の高さ位置との間で上下方向に複数の室１１…に仕切る仕切り１０…が本実施形態では上下方向に５つ入れられている。これら各仕切り１０…は発泡ポリスチレンなどの発泡樹脂製の断熱材からなっていて、上下の室１１…間で空気の行き来を遮ると共に、熱の行き来も遮るようにしている。
【００１５】
上記の壁構造では、構造用合板１と内装ボード４との間を上下方向に延びる空間部７…に、該空間部７…を天井面８の高さ位置と床面９の高さ位置との間で上下方向に複数の室に仕切る仕切りが設置されているので、冬期の屋内暖房時には、空間部７内で、屋内側と屋外側との温度差による空気の対流は生じるものの、空気の上昇下降の距離が仕切り１０…によって短くなり、図１（イ）に矢印で示すように、仕切り１０…によって仕切られた上下方向の各室１１…単位でそのような対流が起こるだけであるので、対流の勢いが抑えられ、内装ボード４の屋内側の面が冷やされるのを抑制できて、冬期暖房時に屋内側が冷やされるのを効果的に防止することができる。
【００１６】
しかも、仕切り１０…は発泡樹脂製の断熱材からなっているので、仕切り１０によって仕切られた隣り合う上下の室１１…間で空気の行き来が遮られるのみならず、熱の行き来も遮られて、屋内側が冷やされるのをより一層効果的に防止することができ、また、発泡樹脂製の軽量な仕切り１０…であるので、空間部７…への仕切り１０…の施工を容易に行っていくことができるし、空間部７…への取付けも、圧入による嵌込み、貼付けなどの簡素な構造、手段によって行うことができ、多数の仕切り１０…を能率良く空間部７…内に設置していくことができる。
【００１７】
図３に示す第２実施形態の壁の構造は、仕切り１０…がプラスチック系の硬質シート材からなっている。この仕切り１０…では上下室１１…間の熱の行き来を遮るのは難しいが、空気の行き来を遮ることはでき、それによって、冬期暖房時に内装ボード４の屋内側の面が冷やされるのを抑えることができて、屋内側が冷やされるのを効果的に防止することができる。なお、仕切りとしてプラスチック系の柔軟なシート材ないしはフィルム材を用いてもよく、その場合であっても、上下室１１…間の空気の行き来を遮って屋内側が冷やされるのを効果的に防止することができ、その施工も容易に行っていくことができる。
【００１８】
以上に、本発明の実施形態を示したが、本発明はこれに限られるものではなく、発明思想を逸脱しない範囲で各種の変更が可能である。例えば上記の実施形態では、床面９の高さ位置と天井面８高さ位置との間に上下方向に５つの仕切り１０を入れた場合を示したが、上下方向の中間高さ位置に１つ入れて、上下方向に２つの室を形成したものであってもよいし、５つを越える数の仕切りを入れてもよいし、５つを下回る数の仕切りを入れてもよい。なお、本発明において、「仕切り」の語の概念に腰高窓などの開口部を含むものではなく、本発明の壁構造は、床面から天井面にわたって連続する壁部分の構造についてのものであることはいうまでもない。
【００１９】
【発明の効果】
本発明は、以上のとおりのものであるから、構造用合板の屋内側に縦枠材が備えられると共に、該縦枠材の屋内側に内装ボードが備えられ、かつ、前記構造用合板の屋外側に外断熱用の断熱材が備えられた外断熱建物における壁の構造において、冬期の屋内暖房時に屋内側が冷やされるのを効果的に防止することができる。
【図面の簡単な説明】
【図１】第１実施形態の壁構造を示すもので、図（イ）は壁の断面側面図、図（ロ）は図（イ）のＩ−Ｉ線断面図である。
【図２】内装ボードを取り外した状態の壁の内部構造を示す斜視図である。
【図３】第２実施形態の壁構造を示すもので、内装ボードを取り外した状態の壁の内部構造を示す斜視図である。
【図４】従来の壁構造を示すもので、図（イ）は壁の断面側面図、図（ロ）は図（イ）のＩＩ−ＩＩ線断面図である。
【符号の説明】
１…構造用合板
２…縦枠材
３…外断熱材
４…内装ボード
７…空間部
８…天井面
９…床面
１０…仕切り
１１…室
【図１】
2004300839.tif 000003
【図２】
2004300839.tif 000004
【図３】
2004300839.tif 000005
【図４】
2004300839.tif 000006